(57)【要約】【課題】電子マニフェスト（電子Ｍ）は排出事業者、収集運搬業者、処分業者のいずれもが電子情報による情報交換が不可欠で、その処理が複雑であるが、電子Ｍに簡単に参加できる電子Ｍコンピュータと電子Ｍ加入者端末を取り持つＡＳＰが近年何社か運用開始されており、そのようなＡＳＰシステムを運用するにあたり廃棄物と一緒に回付する産廃伝票に関して、不法投棄に利用されにくい産廃伝票作成システムの開発が急務である。【解決手段】ＡＳＰコンピュ−タが排出事業者、収集運搬業者、処分業者の情報を一元管理し業界全体の産廃伝票作成、データ管理等に関する省力化を計り、排出事業者が契約し排出事業場が指定しＡＳＰに設定した業者だけが該排出事業者及び該排出事業場と該排出事業場が指定しＡＳＰに設定した業者の中から選択された業者が記載された産廃伝票を発行できる仕組みを構築し不法投棄を抑制する。【選択図】なし【特許請求の範囲】
【請求項１】
（財）日本産業廃棄物処理振興センターの電子マニフェスト（以下電子Ｍという）コンピュータと電子Ｍ登録・報告代行業者（以下ＡＳＰという）コンピュータが通信ネットワーク（以下ＮＷという）を介して電子Ｍ・ＥＤＩ版接続仕様により接続されるコンピュ−タＮＷを構築し、電子Ｍ、ＡＳＰ双方の加入者である排出事業者、収集運搬業者、処分業者の各端末がＡＳＰコンピュ−タにＮＷを介して接続されるコンピュ−タＮＷを構築し、各端末がＮＷを介してＡＳＰコンピュ−タに送信したデータをもとにＡＳＰコンピュ−タが電子Ｍコンピュータに登録代行、報告代行を行う、産業廃棄物電子Ｍ登録・報告代行システムをスムーズに運用するべく、電子Ｍ加入者が産業廃棄物の排出、収集、運搬、処分を行うにあたり、廃棄物と一緒に回付する産業廃棄物・物流伝票（以下産廃伝票という）を業者が作成する過程において、
ＡＳＰコンピュ−タが排出事業者、収集運搬業者、処分業者の情報を一元管理し業界全体の省力化を計ると同時に、排出事業者が契約し排出事業場が指定した業者だけが該排出事業者及び該排出事業場が記載された産廃伝票を発行でき、かつ、該排出事業場が指定した業者の中から選択された業者が記載された産廃伝票しか発行できない仕組みを構築し不法投棄を抑制するシステム
排出事業者端末に
排出事業者コードをマスターキーに排出事業者情報（ＡＳＰから付与された排出事業者コード、郵便番号、住所、会社名、電話番号、ＡＳＰから付与されたパスワード等）を設定し、該排出事業者が管轄する排出事業場コードをサブマスターキーに排出事業場情報（排出事業場コード、郵便番号、住所、名称、電話番号等）を設定し、該排出事業者が産業廃棄物の処理を委託契約している業者の中で該排出事業場が指定（複数指定可）する業者コードをサブキーに設定し、設定した該排出事業者コードをマスターキーに該排出事業者情報が、該排出事業場コードをサブマスターキーに該排出事業場情報が、該排出事業場が指定（複数指定可）する該業者コードをサブキーに３階層に連結され記憶保存される排出事業者が管轄する排出事業場の業者指定記憶保存手段と
上記手段により記憶保存された排出事業者コードをマスターキーに排出事業者情報が、排出事業場コードをサブマスターキーに排出事業場情報が、該排出事業場が指定（複数指定可）する業者コードをサブキーに３階層に連結設定されたままＮＷを介してＡＳＰコンピュータに送信される排出事業者が管轄する排出事業場の指定業者送信手段と
ＡＳＰコンピュータに
排出事業者が管轄する排出事業場の指定業者送信手段によりＮＷを介してＡＳＰコンピュータに送信されてきたデータが受信され記憶保存される排出事業者が管轄する排出事業場の指定業者受信記憶保存手段と
業者情報ＡＳＰ送信手段によりＮＷを介してＡＳＰコンピュータに送信されてきたデータが受信され記憶保存される業者情報受信記憶保存手段と
ＡＳＰコンピュータへの接続者の排出事業者コード、業者コードがＡＳＰ加入者コードと一致しない場合、あるいは、ＡＳＰ加入者コードは一致するがパスワードが一致しない場合は接続を拒否するＡＳＰ加入者コード・パスワード不一致者接続拒否手段と
業者端末が業者コードとパスワードをキーにＮＷを介してＡＳＰコンピュ−タに接続し、ダウンロードしたい排出事業者コード、排出事業場コード、業者コード（複数指定可）を設定し３階層に連結設定された各コードをキーに排出事業者が管轄する排出事業場の指定業者受信ファイルを検索した時に該業者端末が設定した排出事業者コードのサブマスターキーの排出事業場コードのサブキーの業者リストに、該業者の業者コードが設定されていない場合は接続を中止する排出事業者未指定業者接続中止手段と
業者端末が産廃伝票作成用情報ダウンロード設定記憶保存手段により排出事業者が管轄する排出事業場の指定業者受信ファイルを検索した時に、該業者端末が設定した業者コードの中で、該排出事業場コードに連結設定されていない業者コードが含まれている場合はその業者コードをダウンロード要求から排除し、該排出事業場コードに連結設定されている場合はダウンロード要求に対応する排出事業者指定業者産廃伝票作成用情報ダウンロード要求対応手段と
業者端末に
業者情報（ＡＳＰから付与された業者コード、郵便番号、住所、会社名、電話番号、ＡＳＰから付与されたパスワード、許可番号等）を設定し記憶保存する業者情報設定記憶保存手段と
業者コードとパスワードをキーにＮＷを介してＡＳＰコンピュ−タに接続し、上記手段により記憶保存された業者情報を送信する業者情報ＡＳＰ送信手段と
産廃伝票作成用に排出事業者情報、該排出事業者管轄の排出事業場情報、及び該排出事業場が指定（複数指定可）する業者情報を自社端末に設定するべく業者コードとパスワードをキーにＮＷを介してＡＳＰコンピュ−タに接続し、排出事業者コードと排出事業場コードと業者コード（複数指定可）をキーに排出事業者が管轄する排出事業場の指定業者受信ファイルが検索されそれぞれのコードが一致したデータが取得され取得された排出事業者情報が該排出事業者情報の排出事業者コードをマスターキーに、該排出事業者管轄の排出事業場情報が該排出事業場情報の排出事業場コードをサブマスターキーに、取得された業者コードをキーに業者情報受信ファイルが検索されコードが一致した業者情報が取得され、取得された該業者情報が該業者情報の業者コードをサブキーに該自社端末に３階層に連結設定され、記憶保存される産廃伝票作成用情報ダウンロード設定記憶保存手段とを備えた請求項１に関連する情報処理技術
【発明の詳細な説明】
【技術分野】
【０００１】
（財）日本産業廃棄物処理振興センターの電子マニフェスト（以下電子Ｍという）コンピュータと電子Ｍ登録・報告代行業者（以下ＡＳＰという）コンピュータが通信ネットワーク（以下ＮＷという）を介して電子Ｍ・ＥＤＩ版接続仕様により接続されるコンピュ−タＮＷを構築し、電子Ｍ、ＡＳＰ双方の加入者である排出事業者、収集運搬業者、処分業者の各端末がＡＳＰコンピュ−タにＮＷを介して接続されるコンピュ−タＮＷを構築し、各端末がＮＷを介してＡＳＰコンピュ−タに送信したデータをもとにＡＳＰコンピュ−タが電子Ｍコンピュ−タに登録代行、報告代行を行う、産業廃棄物電子Ｍ登録・報告代行システムをスムーズに運用するべく、電子Ｍ加入者が産業廃棄物の排出、収集、運搬、処分を行うにあたり、廃棄物と一緒に回付する産業廃棄物・物流伝票（以下産廃伝票という）を業者が作成する過程において、
ＡＳＰコンピュ−タが排出事業者、収集運搬業者、処分業者の情報を一元管理し伝票作成、データ管理など、業界全体の省力化を計ると同時に、排出事業者が契約し排出事業場が指定しＡＳＰに設定した業者だけが該排出事業者及び該排出事業場が記載された産廃伝票を発行でき、かつ、該排出事業場が指定しＡＳＰに設定した業者の中から選択された業者が記載された産廃伝票しか発行できない仕組みを構築し不法投棄を抑制するシステムに関する。
【背景技術】
【０００２】
産業廃棄物については廃棄物処理清掃法により産業廃棄物の排出、収集、運搬、処分の各過程における処理において電子Ｍかマニフェスト伝票により処理の結果を管理し、マニフェスト伝票については排出事業者が作成し交付し廃棄物と一緒に回付し排出事業者、収集運搬業者、処分業者がマニフェスト伝票を５年間保存することが義務付けられているが、その作成、回付、管理、保存に莫大な経費が費やされており電子Ｍへの移行は必須の要件であるが、電子Ｍは排出事業者、収集運搬業者、処分業者のいずれもが電子情報の交換に対応した環境を整えなければならず、かつ、その処理が大変に複雑であるが、電子Ｍに簡単に参加できる電子Ｍと電子Ｍ加入者を取り持つＡＳＰが近年何社か開発され運用が開始されており、そのようなＡＳＰシステムを運用するにあたり廃棄物と一緒に回付する産廃伝票に関して、不法投棄に利用されにくい産廃伝票を作成するシステムの開発が待たれるところである。
【特許文献１】特願２００１−２１８８１９
【特許文献２】特願２００３−１０５８５５
【特許文献３】特願２００４−０４２１０４
【特許文献４】特願２００４−１４９７３７
【特許文献５】特願２００５−２１６０４５
【非特許文献１】平成１７年２月３日提出の[書類名]意見書 [事件の表示] [出願番号]特願2004-149737に提出した[提出物件]を援用する[物件名]（１）厚生省 水道環境部 産業廃棄物対策室発行の「産業廃棄物の適正な移動管理」のコピー  １（２）（財）日本産業廃棄物処理振興センターが当時配布していた「電子マニフェスト制度」のカタログ  １（３）建設九団体副産物対策協議会が発行し、建設マニフェスト販売センターが販売している「産業廃棄物建設系廃棄物マニフェスト」  １（４）2002年7月26日の「日刊 建設工業新聞」の記事のコピー  １（５）2003年2月20日の「日刊 建設工業新聞」の記事のコピー  １（６）財団法人 日本建設業団体連合会の記事のコピー  １（７）2004年11月17日の「環境新聞」  １ （８）（財）日本産業廃棄物処理振興センター情報処理センターのＥＤＩ版電子Ｍシステム接続仕様書  １（９）（財）日本産業廃棄物処理振興センター情報処理センターのＣ／Ｓ版電子Ｍシス テム操作説明書  １（１０）（財）日本産業廃棄物処理振興センター情報処理センターのＷｅｂ版電子Ｍシ ステム操作説明書  １ （８）（９）（１０）については（財）日本産業廃棄物処理振興センターのホームページのＪＷＮＥＴ電子マニフェスト（http://www.jwnet.or.jp/jwnet/）に掲載の新システムのマニアルを援用する。（電子マニフェストの新システムのマニアルは販売しないようである）
【発明の開示】
【発明が解決しようとする課題】
【０００３】
本発明が解決しようとする課題は、電子Ｍ加入者が産業廃棄物の排出、収集、運搬、処分の各過程において廃棄物と一緒に回付する産廃伝票を業者が作成するにあたり、ＡＳＰコンピュータにより排出事業者、収集運搬業者、処分業者の情報管理を一元化し産廃伝票作成、データ管理等に関する業界全体の省力化を図ると同時に、排出事業者が契約し排出事業場が指定しＡＳＰに設定した業者だけが該排出事業者及び該排出事業場が記載された産廃伝票を発行でき、かつ、該排出事業場が指定しＡＳＰに設定した業者の中から選択された業者が記載された産廃伝票しか発行できない仕組みを構築し不法投棄を抑制するシステムを提供することにある。
【課題を解決するための手段】
【０００４】
この発明は、電子ＭコンピュータとＡＳＰコンピュータがＮＷを介して電子Ｍ・ＥＤＩ版接続仕様により接続されるコンピュ−タＮＷを構築し、電子Ｍ、ＡＳＰ双方の加入者である排出事業者、収集運搬業者、処分業者の各端末がＡＳＰコンピュータにＮＷを介して接続されるコンピュ−タＮＷを構築し、各端末がＮＷを介してＡＳＰコンピュ−タに送信したデータをもとにＡＳＰコンピュータが電子Ｍコンピュータに登録代行、報告代行を行う、産業廃棄物電子Ｍ登録・報告代行システムをスムーズに運用するべく、電子Ｍ加入者が産業廃棄物の排出、収集、運搬、処分を行うにあたり、廃棄物と一緒に回付する産廃伝票を業者が作成する過程において、
排出事業者、収集運搬業者、処分業者の各端末がＮＷを介してＡＳＰコンピュ−タに設定した情報をＡＳＰコンピュ−タが一元管理し、各端末は各社の情報をＮＷを介して自社端末に取り込み業界全体の産廃伝票作成、データ管理等に関する省力化を計ると同時に、排出事業者が契約し排出事業場が指定しＡＳＰに設定した業者だけが該排出事業者及び該排出事業場が記載された産廃伝票を発行でき、かつ、該排出事業場が指定しＡＳＰに設定した業者の中から選択された業者が記載された産廃伝票しか発行できない仕組みを構築し不法投棄を抑制するよう構成されている。
【０００５】
この発明は以下のように変形が可能である。
ＡＳＰコンピュータにおいて、排出事業者が管轄する排出事業場の指定業者受信記憶保存手段により記憶保存された業者コードをキーに業者情報受信ファイルが検索され該業者コードと一致した排出事業者が管轄する排出事業場の指定業者受信ファイルの該業者コードに該業者情報受信ファイルの該業者コードに設定されている業者情報を設定し、排出事業者情報が排出事業者コードをマスターキーに、排出事業場情報が排出事業場コードをサブマスターキーに、業者情報が業者コードをサブキーに３階層に連結設定され記憶保存されるように構成し、業者端末が新規に伝票を作成するにあたりＮＷを介してＡＳＰコンピュータに接続し上記３階層に連結設定され記憶保存された各情報を該端末に設定し、産廃伝票を作成するようにしてもよい。
【発明の効果】
【０００６】
電子ＭコンピュータとＡＳＰコンピュータがＮＷを介して電子Ｍ・ＥＤＩ版接続仕様により接続されるコンピュ−タＮＷを構築し、電子Ｍ、ＡＳＰ双方の加入者である排出事業者、収集運搬業者、処分業者の各端末がＡＳＰコンピュータにＮＷを介して接続されるコンピュ−タＮＷを構築し、各端末がＮＷを介してＡＳＰコンピュ−タに送信したデータをもとにＡＳＰコンピュータが電子Ｍコンピュータに登録代行、報告代行を行う、産業廃棄物電子Ｍ登録・報告代行システムをスムーズに運用するべく、電子Ｍ加入者が産業廃棄物の排出、収集、運搬、処分を行うにあたり、廃棄物と一緒に回付する産廃伝票を業者が作成する過程において、
ＡＳＰコンピュ−タにより排出事業者、収集運搬業者、処分業者の情報が一元管理され業界全体の産廃伝票作成、データ管理等に関する省力化が大幅に向上すると同時に、排出事業者が契約し排出事業場が指定しＡＳＰに設定した業者だけが該排出事業者及び該排出事業場が記載された産廃伝票を発行でき、かつ、該排出事業場が指定しＡＳＰに設定した業者の中から選択された業者だけが記載された産廃伝票が発行される仕組みが構築され不法投棄が抑制される。
【発明を実施するための最良の形態】
【０００７】
電子ＭコンピュータとＡＳＰコンピュータがＮＷを介して電子Ｍ・ＥＤＩ版接続仕様により接続されるコンピュ−タＮＷを構築し、電子Ｍ、ＡＳＰ双方の加入者である排出事業者、収集運搬業者、処分業者の各端末がＡＳＰコンピュータにＮＷを介して接続されるコンピュ−タＮＷを構築し、各端末がＮＷを介してＡＳＰコンピュ−タに送信したデータをもとにＡＳＰコンピュータが電子Ｍコンピュータに登録代行、報告代行を行う、産業廃棄物電子Ｍ登録・報告代行システムをスムーズに運用するべく、電子Ｍ加入者が産業廃棄物の排出、収集、運搬、処分を行うにあたり、廃棄物と一緒に回付する産廃伝票を業者が作成する過程において、
ＡＳＰコンピュ−タが排出事業者、収集運搬業者、処分業者の情報を一元管理し、業者が産廃伝票を作成するにあたり排出事業者、該排出事業者が管轄する排出事業場及び該排出事業場が指定する収集運搬業者、処分業者の情報をＮＷを介してＡＳＰコンピュ−タから業者端末にダウンロードし記憶保存し、該情報をもとに排出事業者が契約し排出事業場が指定しＡＳＰに設定した業者だけが該排出事業者及び該排出事業場が記載された産廃伝票を発行でき、かつ、該排出事業場が指定しＡＳＰに設定した業者の中から選択された業者が記載された産廃伝票しか発行できない仕組みを構築し不法投棄を抑制するシステムを実現した。
【実施例１】
【０００８】
排出事業者が管轄する排出事業場の業者指定記憶保存手段により排出事業者端末に排出事業者コードをマスターキーに排出事業者情報（ＡＳＰから付与された排出事業者コード、郵便番号、住所、会社名、電話番号、ＡＳＰから付与されたパスワード等）を設定し、該排出事業者が管轄する排出事業場コードをサブマスターキーに排出事業場情報（排出事業者が設定する排出事業場コード、郵便番号、住所、名称、電話番号等）を設定し、該排出事業者が産業廃棄物の処理を委託契約している業者の中で該排出事業場が指定（複数指定可）する業者コードをサブキーに設定し、設定した該排出事業者コードをマスターキーに該排出事業者情報が、該排出事業場コードをサブマスターキーに該排出事業場情報が、該排出事業場が指定（複数指定可）する該業者コードをサブキーに３階層に連結され記憶保存されるように構成し
上記により記憶保存された排出事業者コードをマスターキーに排出事業者情報が、排出事業場コードをサブマスターキーに排出事業場情報が、該排出事業場が指定（複数指定可）する業者コードをサブキーに３階層に連結設定されたまま排出事業者が管轄する排出事業場の指定業者送信手段によりＮＷを介してＡＳＰコンピュータに送信されるように構成し
【０００９】
排出事業者が管轄する排出事業場の指定業者送信手段によりＮＷを介してＡＳＰコンピュータに送信されてきたデータが排出事業者が管轄する排出事業場の指定業者受信記憶保存手段により受信されＡＳＰコンピュータに記憶保存されるように構成し、
【００１０】
業者情報設定記憶保存手段により業者端末に業者情報（ＡＳＰから付与された業者コード、郵便番号、住所、会社名、電話番号、ＡＳＰから付与されたパスワード、許可番号等）を設定し記憶保存するように構成し、
業者コードとパスワードをキーにＮＷを介してＡＳＰコンピュ−タに接続し、業者情報設定記憶保存手段により業者端末に記憶保存された業者情報が業者情報ＡＳＰ送信手段により送信されるように構成し
【００１１】
業者情報ＡＳＰ送信手段によりＮＷを介してＡＳＰコンピュータに送信されてきたデータが業者情報受信記憶保存手段により受信されＡＳＰコンピュータに記憶保存されるように構成し
【００１２】
業者端末が産廃伝票作成用に排出事業者情報、該排出事業者管轄の排出事業場情報、及び該排出事業場が指定（複数指定可）する業者情報を自社端末に設定するべく業者コードとパスワードをキーにＮＷを介してＡＳＰコンピュ−タに接続し、産廃伝票作成用情報ダウンロード設定記憶保存手段により、排出事業者コードと排出事業場コードと業者コード（複数指定可）をキーに排出事業者が管轄する排出事業場の指定業者受信ファイルが検索されそれぞれのコードが一致したデータが取得され、取得された排出事業者情報が該排出事業者情報の排出事業者コードをマスターキーに、該排出事業者管轄の排出事業場情報が該排出事業場情報の排出事業場コードをサブマスターキーに、取得された業者コードをキーに業者情報受信ファイルが検索されコードが一致した業者情報が取得され、取得された該業者情報が該業者コードをサブキーに該自社端末に３階層に連結設定され、記憶保存されるように構成し
【００１３】
ＡＳＰ加入者コード・パスワード不一致者接続拒否手段により、ＡＳＰコンピュータへの接続者の排出事業者コード、業者コードがＡＳＰ加入者コードと一致しない場合、あるいは、ＡＳＰ加入者コードは一致するがパスワードが一致しない場合は接続が拒否されるように構成し
【００１４】
排出事業者未指定業者接続中止手段により、業者端末が業者コードとパスワードをキーにＮＷを介してＡＳＰコンピュ−タに接続し、ダウンロードしたい排出事業者コード、排出事業場コード、業者コード（複数指定可）を設定し３階層に連結設定された各コードをキーに排出事業者が管轄する排出事業場の指定業者受信ファイルが検索された時に該業者端末が設定した排出事業者コードのサブマスターキーの排出事業場コードのサブキーの業者リストに、該業者の業者コードが設定されていない場合は接続が中止されるように構成し
【００１５】
排出事業者指定業者産廃伝票作成用情報ダウンロード要求対応手段により、業者端末が産廃伝票作成用情報ダウンロード設定記憶保存手段により排出事業者が管轄する排出事業場の指定業者受信ファイルが検索された時に、該業者端末が設定した業者コードの中で、該排出事業場コードに連結設定されていない業者コードが含まれている場合はその業者コードをダウンロード要求から排除し、該排出事業場コードに連結設定されている場合はダウンロード要求に対応し、排出事業者が契約し排出事業場が指定しＡＳＰに設定した業者だけが産廃伝票作成用の情報をダウンロードでき、ダウンロードした情報をもとに該排出事業者及び該排出事業場が記載された産廃伝票を発行でき、かつ、該排出事業場が指定しＡＳＰに設定した業者の中から選択された業者が記載された産廃伝票しか発行できない仕組みを構築し不法投棄を抑制するように構成すれば良い。
【産業上の利用可能性】
【００１６】
電子Ｍに簡単に参加できるＡＳＰが近年何社か開発され運用が開始されているが、そのようなＡＳＰに参加し電子Ｍにより運用するにあたり、廃棄物と一緒に回付する不法投棄に利用されにくい産廃伝票を作成するシステムの利用価値は大変高いものと思われる。